(57)【要約】【課題】簡単で安価な構成でありながら、エレベータの点検時においても、監視カメラでかご内の映像撮影を行うことができるエレベータ専用カメラ装置を提供する。【解決手段】この装置の監視カメラ３は、エレベータのかご内を撮影するカメラ３５と、該カメラ３５で撮影してその画像データを記憶するＳＤカード３６ａと、人を検知するセンサ３４と、マイコン３３とを内蔵する装置本体３１が、前記かご内に着脱自在で、かつ、外部電源ケーブル５が給電可能に取り付けられており、マイコン３３は、センサ３４でかご内に人が入ったことを検知すると、カメラ３５で撮影してその画像データをＳＤカード３６ａに記憶する所定の動作を開始する一方、センサ３４でかご内の人が出たことを検知すると、前記所定の動作を停止するものであって、外部電源の喪失時に、前記所定の動作の開始と停止とを繰り返し可能とするＵＰＳ３７を備えている。【選択図】図２
0003172510.tif 000002
【実用新案登録請求の範囲】
【請求項１】
エレベータのかご内を撮影するカメラと、該カメラで撮影してその画像データを記憶するメモリと、人を検知するセンサと、制御部とが前記かご内に着脱自在で、かつ、外部電源が供給可能な装置本体に内蔵されており、
前記制御部が、前記センサで前記かご内に人が入ったことを検知すると、前記カメラで撮影してその画像データを前記メモリに記憶する所定の動作を開始する一方、前記センサで前記かご内の人が出たことを検知すると、前記所定の動作を停止するエレベータ専用カメラ装置であって、
外部電源の喪失時に、前記所定の動作の開始と停止とを繰り返し可能な無停電電源または充電器付バッテリを備えたことを特徴とするエレベータ専用カメラ装置。
【請求項２】
前記外部電源の復帰時に、前記無停電電源又は前記充電器付バッテリから前記外部電源への自動切換が可能であることを特徴とする請求項１記載のエレベータ専用カメラ装置。
【請求項３】
前記メモリに記憶した画像データを、前記外部電源の給電ケーブルを介して、前記かご外に設置された録画装置に送信可能なＰＬＣ回路をさらに備えたことを特徴とする請求項１又は２記載のエレベータ専用カメラ装置。
【考案の詳細な説明】
【技術分野】
【０００１】
本考案は、エレベータの定期点検時にも使用可能なレベータ専用カメラ装置に関する。
【背景技術】
【０００２】
最近、エレベータ内での犯罪を防止するため、かご内に監視カメラを設置することが多くなってきた。例えば、特許文献１では、エレベータのかご内に監視カメラを設置し、この監視カメラで撮影した映像を、管理人室やかご上に設置された記録装置に記録するとともに、その記録映像を必要に応じて再生し、モニタでその内容を確認することとされている。
【考案の概要】
【考案が解決しようとする課題】
【０００３】
しかしながら、エレベータは必ず定期的に点検するものであり、その点検時には、電源がオフとされるから、監視カメラでかご内の映像撮影を行うことができないといった問題があった。
【０００４】
そこで、ＳＤカード付きカメラを応用することが考えられる。このＳＤカード付きカメラの場合、一般的にＵＴＰ（Ｕｎｓｈｉｅｌｄ  Ｔｗｉｓｔｅｄ  Ｐａｉｒ）ケーブルでモニタできるようになっており、ＵＴＰケーブルでＨＵＢから電源供給する場合と、電源はＡＣアダプタを通して供給し、映像出力はＵＴＰケーブルで出力する場合とがある。
【０００５】
そして、万一１００Ｖ電源が停電したとすると、カメラに入っているＳＤカードで停電前の映像が記録されるものの、このＳＤカードには停電前の数時間分の映像が記録されているにすぎず、当然のことながら停電後は記録されていない。すなわち、このＳＤカード付きカメラでは、エレベータの定期点検時に、かご内の映像撮影を行うことができない。
【０００６】
本考案は、上記事情に鑑みたものであり、その目的とするところは、エレベータの点検時においても、監視カメラでかご内の映像撮影を行うことができるエレベータ専用カメラ装置を提供することである。
【課題を解決するための手段】
【０００７】
本考案は、エレベータのかご内を撮影するカメラと、該カメラで撮影してその画像データを記憶するメモリと、人を検知するセンサと、制御部とを前記かご内に着脱自在で、かつ、外部電源が供給可能な装置本体に内蔵されており、前記制御部が、前記センサで前記かご内に人が入ったことを検知すると、前記カメラで撮影してその画像データを前記メモリに記憶する所定の動作を開始する一方、前記センサで前記かご内の人が出たことを検知すると、前記所定の動作を停止するように構成されたエレベータ専用カメラ装置であって、外部電源の喪失時に、前記所定の動作の開始と停止とを繰り返し可能な無停電電源または充電器付バッテリを備えたことを特徴とするものである。なお、メモリには、ＳＤカードを含む。
【０００８】
本考案によれば、外部電源の喪失時に、前記所定の動作の開始と停止とを繰り返し可能な無停電電源または充電器付バッテリが備えられたので、エレベータの定期点検時などにおいて、外部電源がオフとされても、無停電電源または充電器付バッテリからの給電がなされる。したがって、引き続き、制御部が、センサでかご内に人が入ったことを検知すると、カメラで撮影してその画像データをメモリに記憶する所定の動作を開始する一方、センサでかご内の人が出たことを検知すると、所定の動作を停止することができる。また、このように、カメラでの撮影を間歇的に行い、無停電電源または充電器付バッテリからの給電中の節電を図ることにより、その給電時間を長期化させることができる。その結果、エレベータの定期点検時などにおいても、カメラでかご内の映像撮影を行うことができる。
【０００９】
ところで、ＳＤカード付きカメラの場合に、一旦喪失した電源が復旧すると、カメラは再稼動するものの、再リセットと、データ設定とをする必要がある。そこで、前記外部電源の復帰時に、前記無停電電源または充電器付バッテリから前記外部電源への自動切換が可能であることが好ましい。
【００１０】
この場合、前記外部電源の復帰時に、前記無停電電源または充電器付バッテリから前記外部電源への自動切換が可能であるので、リセット操作が不要となり、便利である。
【００１１】
また、前記メモリに記憶した画像データを、前記外部電源の給電ケーブルを介して、前記かご外に設置された録画装置に送信可能なＰＬＣ回路をさらに備えることが好ましい。
【００１２】
この場合、前記メモリに記憶した画像データを、前記外部電源の給電ケーブルを介して、前記かご外に設置された録画装置に送信可能なＰＬＣ回路がさらに備えられたので、新たな配線等を設けることなく、エレベータのかご外に画像データを送信してリアルタイムでの遠隔監視ができるようになる。
【考案の効果】
【００１３】
本考案によれば、外部電源の喪失時に、前記所定の動作の開始と停止とを繰り返し可能な無停電電源または充電器付バッテリが備えられたので、エレベータの定期点検時などにおいて、外部電源がオフとされても、無停電電源または充電器付バッテリからの給電がなされる。したがって、引き続き、制御部が、センサでかご内に人が入ったことを検知すると、カメラで撮影してその画像データをメモリに記憶する所定の動作を開始する一方、センサでかご内の人が出たことを検知すると、所定の動作を停止することができる。また、このように、カメラでの撮影を間歇的に行い、無停電電源または充電器付バッテリからの給電中の節電を図ることにより、その給電時間を長期化させることができる。その結果、エレベータの定期点検時などにおいても、カメラでかご内の映像撮影を行うことができる。
【図面の簡単な説明】
【００１４】
【図１】本考案の一実施形態に係るエレベータ専用カメラ装置の全体構成図である。
【図２】本装置の監視カメラの制御ブロック図である。
【図３】本装置の監視カメラの動作例を示すフローチャートである。
【考案を実施するための形態】
【００１５】
図１は本考案の一実施形態に係るエレベータ専用カメラ装置１の全体構成である。
【００１６】
本実施形態に係るエレベータ専用カメラ装置（以下、本装置という。）１は、例えば図１に示すように、エレベータのかご２内の天井に取り付けられており、かご２内に人４が入っているか否かを監視する監視カメラ３と、監視カメラ３に接続される外部電源ケーブル５と、機械室６内に設けられ、外部電源ケーブル５に接続される録画装置７とを備えている。
【００１７】
図２は本装置の監視カメラ３の制御ブロック図である。
【００１８】
図２に示すように、監視カメラ３は、それぞれが装置本体３１に内蔵された、ＰＬＣ（Ｐｏｗｅｒ  Ｌｉｎｅ  Ｃｏｍｍｕｎｉｃａｔｉｏｎ）回路３２と、制御部としてのマイコン３３と、センサ３４と、カメラ３５と、カードリーダライタ３６と、無停電電源としてのＵＰＳ（Ｕｎｉｎｔｅｒｒｕｐｔｉｂｌｅ  Ｐｏｗｅｒ  Ｓｕｐｐｌｙ）３７と、とを備えている。
【００１９】
装置本体３１は、例えば円筒状の外観をなしており、その上部がエレベータのかご２の天井に着脱自在に取り付けられるとともに、外部電源ケーブル５が引き込まれるようになっている。また、その下部には、透明カバー３８が取り付けられており、この透明カバー３８を介して、センサ３４による人の検知と、カメラ３５による撮像とができるようになっている。さらに、その胴部の図示しないスロットから、カードリーダライタ３６にメモリとしてのＳＤカード３６ａを挿脱自在となっている。
【００２０】
ＰＬＣ回路３２は、外部電源ケーブル５を外部との通信回線として利用するもので、これにより、新たな配線等を設けることなく、エレベータのかご２外に画像データを送信することができるようになる。ここでは、機械室６に録画装置７が設けられており、この録画装置７に対応するＰＬＣ回路を設けることにより、外部電源ケーブル５を介して、前記送信された画像データを録画装置７に取り込んで、図示しないモニタなどにリアルタイムで表示できるようになっている。
【００２１】
マイコン３３は、各要素からの入力信号と、図示しない記憶部に予め記憶された各種プログラムや各種データとに基づいて各種演算を行い、その演算結果に基づいて、各要素に制御信号を出力するものである。そして、図示しないスイッチをオンすると、前記記憶部からマイコン３３に各種プログラムや各種データがセット或いはリセットされ、いわゆる初期設定が行われた後、所定の順序に従って、各要素の動作が開始するようになっている。また、前記スイッチをオフすると、所定の順序に従って、このマイコン３３を含むすべての要素の動作が停止するようになっている。
【００２２】
センサ３４は、市販の赤外線センサなどを用い、カメラ３５は、市販のネットワークカメラなどを用いることで足りる。なお、カメラ３５は予め設定された時間間隔で間歇的に撮影を行うようになっているものとする。
【００２３】
ＵＰＳ３７は、例えば通常時は常に外部電源から供給し、外部電源が喪失したときには、バッテリに自動的に切り替えて給電するものを用いる。なお、バッテリの容量は、エレベータの点検時に各要素の動作を確保できるものとするが、外部電源の復旧により、そのバッテリから外部電源に自動的に切り替わるものが好ましい。これにより、手動によるリセット操作が不要となり、便利である。
【００２４】
図３は本装置の監視カメラ３の動作例を示すフローチャートである。以下、図３を用いて監視カメラ３の動作例を説明する。なお、カードリーダライタ３６には、ＳＤカード３６ａが挿入されているものとする。
【００２５】
まず、図示しないスイッチをオンすると、マイコン３３が初期設定を行う（ステップＳ１）。ついで、外部電源の喪失の有無を判断する（ステップＳ２）。通常は外部電源ケーブル５から給電されているから、外部電源の喪失なしとして（ステップＳ２でＮＯ）、外部電源がそのまま給電される。フラグＦ＝０とする（ステップＳ３）。
【００２６】
ついで、センサ３４でエレベータのかご内に人がいるか否かを検知する（ステップＳ４）。ここで、人が検出されたときは（ステップＳ４でＹＥＳ）、カメラで間歇的に撮影し（ステップＳ５）、その画像データをカードリーダライタ３６でＳＤカード３６ａに記憶する（ステップＳ６）。
【００２７】
ついで、フラグＦ＝０であるか否かを判断する（ステップＳ７）。いまはＦ＝０であるので（ステップＳ７でＹＥＳ）、前記画像データをＰＬＣ回路３２で外部電源ケーブル５を経由させて機械室６内の録画装置７に送信し（ステップＳ８）、録画装置７のモニタなどにリアルタイムで表示する。そして、ステップＳ２に戻る。一方、人が検出されないときには（ステップＳ４でＮＯ）、直ちにステップＳ２に戻る。
【００２８】
引き続き、エレベータの点検時について説明する。このときには、外部電源がオフとなるから、外部電源の喪失を検知する（ステップＳ２でＹＥＳ）。すると、ＵＰＳ３７からの給電に自動的に切り替わる（ステップＳ９）。フラグＦ＝１とする（ステップＳ１０）。
【００２９】
このときにも、センサ３４でエレベータのかご内に人がいるか否かを検知する（ステップＳ４）。ここで、人が検出されたときは（ステップＳ４でＹＥＳ）、カメラで間歇的に撮影し（ステップＳ５）、その画像データをカードリーダライタ３６でＳＤカード３６ａに記憶する（ステップＳ６）。そして、必要な場合は、エレベータの点検後に、カードリーダライタ３６からＳＤカード３６ａを引き出して、それに記憶された画像データを機械室６内の録画装置７で再生できる。
【００３０】
ついで、フラグＦ＝０であるか否かを判断する（ステップＳ７）。いまはＦ＝１であるので（ステップＳ７でＮＯ）、直ちにステップＳ２に戻る。
【００３１】
エレベータの点検が終了すると、外部電源がオンとなるから、外部電源の復旧を検知する（ステップＳ２でＮＯ）。すると、外部電源に自動的に切り替わり、フラグＦ＝０となる（ステップＳ３）。このときにも、センサ３４でエレベータのかご内に人がいるか否かを検知する（ステップＳ４）。ここで、人が検出されたときは（ステップＳ４でＹＥＳ）、カメラで間歇的に撮影し（ステップＳ５）、その画像データをカードリーダライタ３６でＳＤカード３６ａに記憶する（ステップＳ６）。
【００３２】
ついで、フラグＦ＝０であるか否かを判断する（ステップＳ７）。いまはＦ＝０であるので（ステップＳ７でＹＥＳ）、前記画像データをＰＬＣ回路３２で外部電源ケーブル５を経由させて機械室６内の録画装置７に送信し（ステップＳ８）、録画装置７のモニタなどにリアルタイムで表示する。そして、ステップＳ２に戻る。一方、人が検出されないときには（ステップＳ４でＮＯ）、直ちにステップＳ２に戻る。以下図示しないスイッチがオフとされるまで、上記ステップＳ２〜Ｓ８を繰り返す。
【００３３】
以上説明したように、上記実施形態のエレベータ専用カメラ装置１では、エレベータの定期点検時などにおいて、外部電源がオフとされても、ＵＰＳ３７からの給電が自動的になされる。したがって、引き続き、制御部が、センサ３４でかご２内に人４が入ったことを検知すると、カメラ３５で間歇的に撮影してその画像データをカードリーダライタ３６でＳＤカード３６ａに記憶する所定の動作を開始する一方、センサ３４でかご２内の人が出たことを検知すると、所定の動作を停止することができる。また、このように、カメラ３５での撮影を間歇的に行い、ＵＰＳ３７からの給電中の節電を図ることにより、その給電時間を長期化させることができる。その結果、エレベータの定期点検時などにおいても、カメラ３５でかご２内の映像撮影を行うことができる。
【００３４】
なお、上記実施形態では、外部電源の喪失の原因として、エレベータの定期点検を例示しているが、予想しない停電などであってもよい。また、無停電電源としてのＵＰＳ３７に代えて、充電器付バッテリを装備することとしてもよい。
【００３５】
また、上記実施形態では、メモリとして、カードリーダライタ３６のスロットに挿脱自在なＳＤカード３６ａを用いているが、ＵＳＢメモリなどを用いてもよい。
【００３６】
また、上記実施形態では、エレベータの点検時などでは、ＳＤカード３６ａに記憶された画像データを、事後にカードリーダライタ３６のスロットから抜き出して、機械室６内の録画装置７のモニタなどで表示させるようにしているが、電源復旧後、自動的にＳＤカード３６ａに記憶された画像データを、ＰＬＣ回路３２で外部電源ケーブル５を経由させて機械室６内の録画装置７に自動的に送信するようにしてもよい。
【００３７】
また、上記実施形態では、監視カメラ３には、外部電源ケーブル５から給電しているが、これに代えて、インターネット回線を使用して電力供給をすることもできる。また、画像データは、そのセキュリティを考慮して、適当な方法で暗号化してから送信するようにしてもよい。
【００３８】
また、上記実施形態では、装置本体３１に各要素のすべてを内蔵しているが、一部を装置本体３１の外部に設置してもよい。例えば、ＵＰＳ３７や充電器付バッテリは、その大きさや重量のいかんによっては、装置本体３１の外部に設置してもよいものとする。
【符号の説明】
【００３９】
１  エレベータ専用カメラ装置
２  かご
３  監視カメラ
３１  装置本体
３２  ＰＬＣ回路
３３  マイコン（制御部に相当する。）
３４  センサ
３５  カメラ
３６  カードリーダライタ
３６ａ  ＳＤカード（メモリに相当する。）
３７  ＵＰＳ（無停電電源に相当する。）
３８  透明カバー
４  人
５  外部電源
６  機械室
７  録画装置
【先行技術文献】
【特許文献】
【００４０】
【特許文献１】特開２０００−１４３１２８号公報
【図１】
0003172510.tif 000003
【図２】
0003172510.tif 000004
【図３】
0003172510.tif 000005